(57)【要約】【課題】  カラー画像の色数を減じて生成された印刷画像の印刷状態を印刷前に確認することができる印刷画像処理装置を提供する。【解決手段】  フルカラーのＰＤＬデータとジョブチケットをＰＤＬ入力部１１およびジョブチケット入力部１２から入力し、ジョブチケット解析・色変換部１４の解析結果に基づいてページごとにハイライトカラー処理を実行し、その処理画像と用紙色とを合成し、それをプレビュー画像として表示部２０に表示する。プレビュー画像に対してＮＧの判定がなされたとき、ＯＫの判定がでるまで、ジョブチケットの書き替えとそのプレビュー画像の表示とを繰り返す。【選択図】    図１
2006270746.tif 000002
【特許請求の範囲】
【請求項１】
画像が印刷される用紙の色を含む印刷条件を入力する入力部と、
所定の色数のカラー画像を前記所定の色数よりも少ない色数の印刷画像に変換する変換部と、
前記印刷画像と前記色を有する用紙像とを合成して合成画像を生成する合成部と、
前記合成画像を表示する表示部とを備えたことを特徴とする印刷画像処理装置。
【請求項２】
前記入力部は、前記印刷条件として置換対象の色と置換後の色を入力し、
前記変換部は、前記カラー画像のうち前記置換対象の色以外の色をグレーに置換し、前記置換対象の色を前記置換後の色に変換して前記印刷画像を生成することを特徴とする請求項１に記載の印刷画像処理装置。
【請求項３】
前記入力部は、前記印刷条件として印刷後の後処理に必要な後処理情報を入力し、
前記合成部は、前記後処理情報に基づいて後処理後の前記合成画像を生成することを特徴とする請求項１に記載の印刷画像処理装置。
【請求項４】
前記合成部は、前記印刷画像の解像度を低下させた低解像度画像を生成し、前記低解像度画像と前記用紙像とを合成することを特徴とする請求項１に記載の印刷画像処理装置。
【請求項５】
画像が印刷される用紙の色、および変換ロジックを含む印刷条件を入力する印刷条件入力部と、
前記変換ロジックに従い、所定の色数のカラー画像を前記所定の色数よりも少ない色数の印刷画像に変換する変換部と、
前記印刷画像と前記色を有する用紙像とを合成して合成画像を生成する合成部と、
前記合成画像を表示する表示部と、
前記表示部に表示された前記合成画像に対する良否の判定結果を入力する判定結果入力部と、
前記判定結果入力部から前記合成画像を否定する判定結果が入力されたとき、前記変換ロジックを変更して再度前記印刷画像を生成するように前記変換部を制御する制御部とを備えたことを特徴とする印刷画像処理装置。
【発明の詳細な説明】
【技術分野】
【０００１】
本発明は、フルカラー等のカラー画像を２色画像等の印刷画像に変換して印刷装置に印刷させる印刷画像処理装置に関する。
【背景技術】
【０００２】
例えば、オフィス等では、複数のパーソナルコンピュータ（ＰＣ）をプリンタや複写、ファクシミリ、コピー等の複数の機能を備えた複合機等の画像形成装置にＬＡＮを介して接続し、システムを構築することが行われている。
【０００３】
プリンタや複合機等の画像形成装置は、従来、記録像が黒色だけの白黒機であったが、低価格化および小型化が可能になったことから、イエロー、マジェンタ、シアン、ブラックのトナーを用いたフルカラー機の普及が進んでいる。最近では、フルカラータイプよりもマルチカラータイプの方が、製造コストおよびランニングコストに優れていることから、高速な複写機やプリンタとして提案されている。
【０００４】
マルチカラータイプとして、例えば、ネットワークに接続されたホストコンピュータ上で作成された多色もしくはフルカラー画像を一旦画像形成装置へ転送し、この画像形成装置内の画像データ処理回路で高速変換させてから再びホストコンピュータ側へ変換画像データを転送し、ホストコンピュータのモニタ上で出来具合を確認してからプリント出力を行うことにより、出力プリントの出来具合を確認でき、かつ、迅速に所望の２色プリントを得ることのできる画像処理方法が知られている（例えば、特許文献１参照。）。
【特許文献１】特開平１１−１２７３６０号公報
【発明の開示】
【発明が解決しようとする課題】
【０００５】
しかし、従来の画像処理方法によると、フルカラープリンタやモノクロプリンタを意識して作成した原稿では、どのように画像が出力されるかが予測しずらい。
【０００６】
さらに、ＰＤＬ（Page Description Language）の文字、写真、図形等の構成要素毎にフルカラーから２色刷りであるハイライトカラーへのマッピングロジックを変更したり、白黒原稿を色のついた用紙に予め決められたロジックでハイライトカラーを適応させてみたらどうなるかなどに及ぶと、ユーザは作成原稿データを画像形成装置に送って内蔵の画像データ処理回路で画像変換するため、最終変換画像を記録用紙に出力した後でないと作成画像の出来具合を確認することができない。
【０００７】
従って、本発明の目的は、カラー画像の色数を減じて生成された印刷画像の印刷状態を印刷前に確認することができる印刷画像処理装置を提供することにある。
【課題を解決するための手段】
【０００８】
本発明は、上記目的を達成するため、画像が印刷される用紙の色を含む印刷条件を入力する入力部と、所定の色数のカラー画像を前記所定の色数よりも少ない色数の印刷画像に変換する変換部と、前記印刷画像と前記色を有する用紙像とを合成して合成画像を生成する合成部と、前記合成画像を表示する表示部とを備えたことを特徴とする印刷画像処理装置を提供する。
【０００９】
印刷画像は、用紙の色によっては見易さが異なるが、印刷画像と用紙像とを合成した合成画像を表示部に表示することにより、印刷画像の見易さ（印刷状態）を印刷前に確認することができる。
【００１０】
「用紙の色」には、黄色、青色等の有彩色の他、白色やグレー等の無彩色も含まれる。「カラー画像」には、フルカラー画像や８色以上からなる多色カラー画像が含まれ、「印刷画像」には、２色あるいは３色以上からなる画像が含まれる。２色からなる印刷画像には、例えば、黒色と赤色からなる２色画像が含まれる。「用紙像」には、用紙の色のみならず、用紙の形状や材質等を含めてもよい。
【００１１】
上記入力部は、印刷条件として置換対象の色と置換後の色を入力し、上記変換部は、カラー画像のうち置換対象の色以外の色をグレーに置換し、置換対象の色を置換後の色に変換して印刷画像を生成する構成としてもよい。
【００１２】
上記入力部は、印刷条件として印刷後の後処理に必要な後処理情報を入力し、上記合成部は、後処理情報に基づいて後処理後の合成画像を生成する構成としてもよい。「後処理」には、仕分けや綴じ処理等が含まれる。
【００１３】
上記合成部は、印刷画像の解像度を低下させた低解像度画像を生成し、低解像度画像と用紙像とを合成してもよい。低解像度画像を合成画像に用いることにより、合成画像の作成の高速化が図れる。
【００１４】
本発明は、上記目的を達成するため、画像が印刷される用紙の色、および変換ロジックを含む印刷条件を入力する印刷条件入力部と、前記変換ロジックに従い、所定の色数のカラー画像を前記所定の色数よりも少ない色数の印刷画像に変換する変換部と、前記印刷画像と前記色を有する用紙像とを合成して合成画像を生成する合成部と、前記合成画像を表示する表示部と、前記表示部に表示された前記合成画像に対する良否の判定結果を入力する判定結果入力部と、前記判定結果入力部から前記合成画像を否定する判定結果が入力されたとき、前記変換ロジックを変更して再度前記印刷画像を生成するように前記変換部を制御する制御部とを備えたことを特徴とする印刷画像処理装置を提供する。
【００１５】
上記印刷画像処理装置によれば、表示部に表示された合成画像により、印刷画像の印刷状態を印刷前に確認することができ、表示された合成画像における印刷画像が見難い場合等に、否定的な判定結果を判定結果入力部に入力することにより、変換ロジックを変更してより適正化された合成画像が生成され、再度表示される。「変換ロジック」には、文字、図形、写真等のオブジェクト毎の色変換テーブルや変換式、あるいは置換色指定等が含まれ、用紙色に対する印刷画像色の最適化のための変換ロジックとして、用紙色毎の色変換テーブルや変換式等を用いてもよい。
【発明の効果】
【００１６】
本発明によれば、カラー画像の色数を減じて生成された印刷画像の印刷状態を印刷前に確認することができる。
【発明を実施するための最良の形態】
【００１７】
（印刷画像処理システムの構成）
図１は、本発明の実施の形態に係る印刷画像処理システムを示す。この印刷画像処理システム１００は、コンピュータによって構成可能な印刷画像処理装置１と、この印刷画像処理装置１に接続された画像形成装置としてのプリンタ２とを備える。
【００１８】
（画像処理装置の構成）
印刷画像処理装置１は、フルカラーのＰＤＬデータを入力するＰＤＬ入力部１１と、印刷条件としてのジョブチケット（Job Ticket）を入力するジョブチケット入力部１２と、ＰＤＬ入力部１１およびジョブチケット入力部１２の入力を制御する入力制御部１３と、ジョブチケットを解析し、色変換処理を行う変換部としてのジョブチケット解析・色変換部１４と、色変換テーブル等の変換ロジックに関する情報を記憶する変換ロジック記憶部１５と、ＰＤＬデータを解析するＰＤＬ解析部１６と、この装置１全体を制御するＣＰＵ１７と、ハードディスク等からなり、ＰＤＬデータ、ジョブチケット、ハイライトカラー処理後の画像データ等を記憶する記憶装置１８と、用紙像の加色処理を行う合成部としての用紙色加色部１９と、出力を制御する出力制御部２０と、ＬＣＤ（液晶ディスプレイ），ＣＲＴディスプレイ等の表示部２１とを備える。
【００１９】
ＰＤＬ入力部１１は、ＰＤＬデータをネットワークやメディアから入力してもよく、キー入力に基づいて入力してもよく、その入力方法は限定されない。例えば、ＰＤＬ入力部１１がネットワークインタフェースを備えている場合は、ネットワークを介してＰＤＬデータを入力する。また、ＰＤＬ入力部１１がメディアスロットを備えている場合は、そのメディアスロットに挿入されたメディアからＰＤＬデータを入力する。また、ＰＤＬ入力部１１がキーボードを備えている場合は、そのキーボードを操作し、アプリケーションソフトウェアを用いて文書データを作成し、その文書データをＰＤＬデータに変換して入力してもよい。
【００２０】
ジョブチケット入力部１２は、他のジョブチケット作成用ＰＣで作成されたジョブチケットをネットワークやメディアから入力してもよく、その入力方法は限定されない。例えば、ジョブチケット入力部１２がネットワークインタフェースを備えている場合は、ネットワークを介してジョブチケットを入力する。また、ジョブチケット入力部１２がメディアスロットを備えている場合は、そのメディアスロットに挿入されたメディアからジョブチケットを入力する。なお、この装置１自身がジョブチケットを作成する機能を備えてもよい。
【００２１】
変換ロジック記憶部１５は、ハードディスク、半導体メモリ等を用いて構成されており、変換ロジックに関する情報として、文字、図形、写真のオブジェクト毎の文字用色変換テーブル１５ａ、図形用色変換テーブル１５ｂ、および写真用色変換テーブル１５ｃと、後述する図８に示すようなマッピングアルゴリズムと、用紙色に対してＰＤＬデータが見易くなるように最適化するための色変換テーブルや変換式、アルゴリズム等を格納している。なお、変換ロジックとして、固定の置換色指定、濃度階調のパターン化、色のバターン化などを記憶してもよい。
【００２２】
ジョブチケット解析・色変換部１４は、ＣＰＵ１７の制御の下に、変換ロジック記憶部１５に記憶されている変換ロジックに関する情報に基づいて、フルカラーのＰＤＬデータをプリンタ２の色空間にマッピングする際、一旦、用紙色を意識した低解像度レベルでイメージ作成を行い、用紙色毎に最適な変換ロジックを自動的に選択する機能を有する。
【００２３】
（プリンタの構成）
プリンタ２は、基本のカラー（例えば黒色）とハイライトカラー（例えば赤色）によるハイライトカラー印刷が可能な構成を有する。プリンタ２は、電子写真方式、インクジェット方式、感熱転写方式等の各種の方式を用いることができる。なお、プリンタ２は、プリント専用機に限定されるものではなく、ファックス、コピー、プリンタ、スキャナ等の複数の機能を有する複合機であってもよい。
【００２４】
（ジョブチケットの作成）
ここで、ジョブチケットの作成について詳細に説明する。ジョブチケットは、ジョブチケット作成用ＰＣで作成され、ネットワークあるいはメディアからジョブチケット入力部１２に入力される。
【００２５】
図２および図３は、ジョブチケット作成用ＰＣのディスプレイの表示画面を示し、図２は、ジョブレベルにおけるハイカイトカラー設定画面を示し、図３は、例外ページにおけるハイライトカラー設定画面を示す。
【００２６】
図２に示すジョブレベルにおけるハイカイトカラー設定画面３０には、トナー色、置換色、マッピングアルゴリズム、ミスマッチングアクション等の設定を行うための設定欄３１の他、設定した内容を適用するための適用ボタン３２、設定をキャンセルする際にクリックされるキャンセルボタン３３、設定完了時にクリックされるＯＫボタン３４、および基本設定、イメージ調整、ジョブ情報、例外ページ、合紙設定、表紙、ハイライトカラー、送り先等を選択するための項目欄３５が表示される。この画面３０に対し、ユーザは、ジョブチケット作成用ＰＣのキーボードやマウスを用いて、必要な設定の入力または変更を行う。
【００２７】
図３に示す例外ページにおけるハイライトカラー設定画面４０は、図２の画面３０において、例外ページの項目欄３５を選択すると、ジョブチケット作成用ＰＣのディスプレイに表示される。この画面４０には、前述した適用ボタン３２、キャンセルボタン３３、ＯＫボタン３４、および項目欄３５の他、例外ページ欄４１が表示され、この例外ページ欄４１には、印刷時に使用する用紙を設定する用紙欄４２、例外ページを指定するための設定欄４３等が表示される。この画面４０に対し、ユーザは、ジョブチケット作成用ＰＣのキーボードやマウスを用いて必要な設定の入力または変更を行う。
【００２８】
（印刷画像処理システムの動作）
次に、図１〜図８を参照して印刷画像処理システム１００の動作について説明する。図６は、印刷画像処理装置１における概略処理を示す。なお、以下に述べる各フローチャートにおいては、ステップを“Ｓ”で表している。
【００２９】
まず、ユーザは、ＰＤＬ入力部１１によりカラーによるＰＤＬデータを入力し（Ｓ１０１）、ジョブチケット作成用ＰＣで作成されたジョブチケットをジョブチケット入力部１２により入力する（Ｓ１０２）。ＰＤＬデータは、入力制御部１３を介して記憶装置１８に格納され、ジョブチケットは、入力制御部１３を介して記憶装置１８内に設けられ、印刷指示全体を管理するジョブ定義ファイルに格納される。
【００３０】
図４は、ジョブチケットの構成例を示す。このジョブチケット５０には、部数属性５１、フィニッシング属性５２、用紙指定属性５３、ハイライトカラー指定属性５４、例外ページ指定属性５５等が設定され、ジョブ全体についてハイライトカラー化するためのロジック指定、および例外ページとしてのハイライトカラーの指定が可能になる。
【００３１】
また、同図のジョブチケット５０は、ページ数が１０ページからなる印刷物の例であり、基本設定として、用紙色は白、ハイライトカラートナーは赤、置換する色は赤、変換アルゴリズムはAuto（自動）等が指定されている。これにより、フルカラーデータのうち赤色が赤色で出力される。
【００３２】
また、同図のジョブチケット５０の場合は、例外ページ１指定として、２、３ページに対して、置換する色は黄色、アルゴリズムはMonochrome（モノクローム）が指定されている。これにより、フルカラーデータのうち黄色がグレーに変換される。さらに、例外ページ２指定として、４〜７ページに対して、用紙色は黄緑、置換する色は緑、アルゴリズムはColor To Highlightが指定されている。これにより、４〜７ページは、章分けのページにすることができ、フルカラーデータのうち緑色が赤色に変換される。
【００３３】
入力制御部１３は、ＰＤＬ入力部１１から入力したＰＤＬデータをＰＤＬ解析部１６に入力し、ジョブチケット入力部１２から入力したジョブチケットをジョブチケット解析・色変換部１４に入力する。
【００３４】
ＰＤＬ解析部１６は、ＰＤＬデータを解析する。ＰＤＬデータは、文字、図形、写真等のオブジェクトのデータと、制御データ等のその他のデータからなる。
【００３５】
ＣＰＵ１７は、ジョブチケット解析・色変換部１４によりジョブチケットに従って色変換処理を行わせ、用紙色加色部１９に用紙色加色処理を行わせて解像度を低下させたプレビュー画像を生成し、表示部２１にプレビュー画面を表示する（Ｓ１０３）。
【００３６】
図５は、そのプレビュー画面の一例を示す。このプレビュー画面６０には、適用ボタン３２、キャンセルボタン３３、ＯＫボタン３４、および項目欄３５の他、プレビュー画像６１が表示される。
【００３７】
例えば、プレビュー画像が赤地の背景色に赤色の画像または文字を印刷する設定の場合、ユーザは、表示部２１に表示されたプレビュー画像６１について、赤色の画像や文字が、赤地の背景色に対し鮮明に見えるか否か等を確認する。
【００３８】
次に、ユーザは、プレビュー画像６１に対する良否の判定結果をマウスを操作して決定する。プレビュー画像６１に対してＯＫボタン３４をクリックしてＯＫの決定をした場合、ＣＰＵ１７はプレビュー画像６１に対応する画像データを印刷データとして記憶装置１８に格納する。印刷データの印刷指示があると、プリンタ２にＰＤＬデータとジョブチケットで構成される印刷データを送りハイライトカラー印刷を行う（Ｓ１０４）。
【００３９】
一方、プレビュー画像６１を否定する判定結果の場合、ユーザはキャンセルボタン３３をクリックしてＮＧの決定を行う。これを検知したＣＰＵ１７は、ジョブチケット解析・色変換部１４により他のアルゴリズムを実行してプレビュー画像を作成し、表示部２１に表示する。
【００４０】
（プレビュー画像作成・確認処理）
図７は、図６のステップ１０３の「プレビュー画像作成・確認」処理の詳細を示す。なお、以下の処理は、特に記述がない限り、ＣＰＵ１７によって実行される。
【００４１】
まず、ページ数ＮをＮ＝１に設定して、文書処理を開始する（Ｓ２０１）。次に、ジョブチケット解析・色変換部１４により、文書の１ページ目に対し、図４のジョブチケットの内容を解析する（Ｓ２０２）。図４の例外ページ指定属性５５に基づいて当該ページが例外ページの指定範囲に入っているか否かをチェックする（Ｓ２０３）。本実施の形態の場合、図４のように、例外ページは第２，３，４〜７の各ページであるので、１ページ目は例外ページの指定範囲外になり、ジョブ設定のハイライトカラー処理により１ページ目を処理する（Ｓ２０４）。
【００４２】
このジョブ設定のハイライトカラー処理では、文字、図形、写真については、指定されたAuto、Monochrome、又はColor To HighLight(以下、ＣＴＨＬという。)のアルゴリズムで色変換される。図４の場合は、Autoで色変換される。この処理の詳細は、後述する。
【００４３】
一方、上記例外ページに対しては、例外ページの指定範囲内であるので、ジョブチケット５０で指定された例外ページのハイライトカラー処理を実行する（Ｓ２０５）。例えば、赤を赤、緑を赤、黄色をグレーというように色変換する。
【００４４】
上記ステップＳ２０４またはＳ２０５の処理の後、Ｎ＝１ページのプレビュー画像６１を作成する（Ｓ２０６）。このプレビュー画像６１が例外ページの指定範囲内か否かを判定し（２０７）、例外ページか否かに応じた合成処理を実行する。この場合、１ページ目は例外ページではないので、ジョブチケット５０に設定されている白の用紙色にハイライトカラー処理による画像データを合成する（Ｓ２０８）。なお、例外ページに対しては、例外ページの用紙色と作成したプレビュー画像とを合成する（Ｓ２０９）。例えば、ページ４に対しては、用紙色を黄緑にし、ハイライトカラー処理による画像データを合成する。
【００４５】
上記ステップＳ２０８またはＳ２０９で合成された画像は、プレビュー画像６１として表示部２１に表示される（Ｓ２１０）。プレビュー画像６１はユーザによって確認され（Ｓ２１１）、ユーザはプレビュー画像６１の可否をマウス、キーボード等から指示する。ユーザがプレビュー画像６１の内容に対してＯＫボタン３４をクリックしてＯＫの指示を入力すると、次のページが存在するか否かを判定し（Ｓ２１２）、表示部２１に表示したページが最後であれば、処理を終了する。次のページが有る場合、処理は上記ステップＳ２０２に戻され、以降の処理が繰り返し実行される。
【００４６】
一方、上記ステップＳ２１１において、ユーザは、表示部２１に表示されたプレビュー画像６１に不満があった場合、キャンセルボタン３３をクリックしてＮＧの指示を入力する（Ｓ２１１）。これに対し、ジョブチケット解析・色変換部１４は、ＣＰＵ１７の制御の下、最適化のための変換ロジックに従ってハイライトカラーの処理の指示変更や、用紙の色の変更を行う（Ｓ２１３）。同時にジョブチケットに対象ページ上最適化された指示を記憶する。以後、上記ステップＳ２０２以降の処理を実行してプレビュー画像を作成し、表示部２１に表示する。上記ステップＳ２０２〜Ｓ２１１の処理は、ユーザがプレビュー画像６１を満足するまで続けられる。
【００４７】
上記ステップＳ２１１でＯＫの判定があるごとに次のページの有無が確認され（Ｓ２１２）、次のページが有るときには、処理はＳ２０２に戻され、以降の処理が繰り返し実行される。なお、プレビュー画像で満足したページのジョブチケット指定内容は、その都度、記憶装置１８に格納される。
【００４８】
（ハイライトカラー処理）
図８は、図７のステップＳ２０４、Ｓ２０５におけるハイライトカラー処理の詳細を示す。ここに示す処理は、ジョブチケット解析・色変換部１４により実行される。
【００４９】
まず、マッピングアルゴリズムがColor To HighLightか否かをチェックする（Ｓ３０１）。ＣＴＨＬである場合、文字や図形に適したＣＴＨＬ処理を実行する（Ｓ３０２）。このＣＴＨＬ処理は、文書と図形からなるビジネス文書に適した処理であり、以下のように行われる。
文字：置換する色ｔｏハイライトカラー。
図形：置換する色ｔｏハイライトカラー。
写真：置換する色ｔｏハイライトカラー。
以上の処理が完了すると、ＣＴＨＬに基づくハイライトカラー処理は終了する。
【００５０】
上記ステップＳ３０１において、ＣＴＨＬでないことが判定された場合、マッピングアルゴリズムがPictorialか否かを判定する（Ｓ３０３）。マッピングアルゴリズムの判定結果がPictorialである場合は、写真に適したPictorial処理を実行する（Ｓ３０４）。このPictorial処理は、写真に適した処理であり、以下のように行われる。
文字：置換する色ｔｏモノクロ。
図形：置換する色ｔｏハイライトカラー。
写真：置換する色ｔｏハイライトカラー。
以上の処理が完了すると、Pictorialに基づくハイライトカラー処理は終了する。
【００５１】
上記ステップＳ３０３において、Pictorialでないことが判定された場合、マッピングアルゴリズムがMonochromeか否かを判定する（Ｓ３０５）。Monochromeと判定した場合は、白黒に適したMonochrome処理を実行する（Ｓ３０４）。このMonochrome処理は、以下のように行われる。
文字：全色ｔｏモノクロ。
図形：全色ｔｏモノクロ。
写真：全色ｔｏモノクロ。
以上の処理が完了すると、Monochrome処理は終了する。
【００５２】
上記ステップＳ３０５において、MonoChromeでないことが判定された場合は、デフォルト設定である自動（Auto）処理を実行する（Ｓ３０7）。この自動処理は、ユーザによる指定がないときに実行されるもので、以下のように行われる。
文字：置換する色ｔｏハイライトカラー。
図形：置換する色ｔｏハイライトカラー。
写真：全色ｔｏハイライトカラー。
以上の処理が完了すると、自動処理は終了する。上記した図８の処理により、文書内容に応じた最適な色変換処理がなされる。
【００５３】
（実施の形態の効果）
この実施の形態によれば、記録紙に出力する前に作成画像を印刷画像処理装置１の表示部２１に表示し、１つのジョブ全体としてジョブ定義ファイルと印刷データの両方からなる仕上がり具合をフルカラーで詳細に確認することができる。すなわち、ジョブチケット５０のハイライトカラーの指定を変えることによって、図形、写真、文字等の原稿の特性に最も好ましい出力結果が、どのように変わっていくかを印刷前に確認することができる。また、ジョブチケット５０で指定される色以外の他の構成要素、例えば、両面やイメージの位置、フィニッシングの仕上がり具合などについても、おおよその仕上がり具合を印刷前に確認することができる。
【００５４】
また、低解像度および少ない色で画像作成を行い、低速なＣＰＵやネットワーク環境においても、仕上がり具合を確認しながら、ジョブに最適な印刷定義ファイルを作成することができる他、複数のページの綴じた状態の重なり具合もしくは任意ページの見開きで簡易的に表示することができる。
【００５５】
［他の実施の形態］
なお、本発明は、上記実施の形態に限定されず、本発明の技術思想を逸脱あるいは変更しない範囲内で種々な変形が可能である。
【００５６】
例えば、上記実施の形態では、ジョブチケットを作成するＰＣと、プレビュー画像を表示するＰＣとが異なる場合について説明したが、同一のＰＣが行うように構成してもよい。ジョブチケットの作成と編集を効率的に行うことが可能となる。
【００５７】
また、プレビュー画像を表示確認するＰＣと、プリント出力するための画像は、別のＣＰＵを用いて行う場合について説明しているが、十分な処理能力がある場合には、プリント出力するための高解像度の画像データまで本ＰＣで作成する構成にしてもよい。
【００５８】
また、上記実施の形態では、フルカラーのＰＤＬデータを黒および他の色２色に変換した場合について説明したが、本発明は、フルカラー以外の多色カラーのプリンタや印刷装置に適応してもよい。
【図面の簡単な説明】
【００５９】
【図１】本発明の実施の形態に係る印刷画像処理システムを示すブロック図である。
【図２】ジョブレベルにおけるハイカイトカラー設定画面を示す図である。
【図３】例外ページにおけるハイライトカラー設定画面を示す図である。
【図４】ジョブチケットの構成例を示す図である。
【図５】プレビュー画面を示す図である。
【図６】本発明の実施の形態に係る印刷画像処理装置の概略処理を示すフローチャートである。
【図７】図６のプレビュー画像作成・確認の処理の詳細を示すフローチャートである。
【図８】図７のステップＳ２０４、Ｓ２０５におけるハイライトカラー処理の詳細を示すフローチャートである。
【符号の説明】
【００６０】
１  画像処理装置
２  プリンタ
１１  ＰＤＬ入力部
１２  ジョブチケット入力部
１３  入力制御部
１４  ジョブチケット解析・色変換部
１５  変換ロジック記憶部
１５ａ  文字用色変換テーブル
１５ｂ  図形用色変換テーブル
１５ｃ  写真用色変換テーブル
１６  ＰＤＬ解析部
１７  ＣＰＵ
１８  記憶装置
１９  用紙色加色部
２０  出力制御部
２１  表示部
３０  ジョブレベルにおけるハイカイトカラー設定画面
３１  設定欄
３２  適用ボタン
３３  キャンセルボタン
３４  ＯＫボタン
３５  項目欄
４０  例外ページにおけるハイライトカラー設定画面
４１  例外ページ欄
４２  用紙欄
４３  設定欄
５０  ジョブチケット
５１  部数属性
５２  フィニッシング属性
５３  用紙指定属性
５４  ハイライトカラー指定属性
５５  例外ページ指定属性
６０  プレビュー画面
６１  プレビュー画像
１００  印刷画像処理システム
【図１】
2006270746.tif 000003
【図２】
2006270746.tif 000004
【図３】
2006270746.tif 000005
【図４】
2006270746.tif 000006
【図５】
2006270746.tif 000007
【図６】
2006270746.tif 000008
【図７】
2006270746.tif 000009
【図８】
2006270746.tif 000010